(57)【要約】【課題】非常用光源ユニットを備えた長尺状の照明装置において、凹部に収容される部材、電線の干渉を抑制する照明装置を提供する。【解決手段】照明装置は、本体凹部１１０に隣接して配置され、蓄電池２４０を収容する収容部２０００を備えている。蓄電池２４０は、長手方向Ｘにおいて端子台１３０とともに電源孔１１１ａを挟む位置で、収容部２０００の内部に収容されている。そして本体凹部１１０と収容部２０００とは、長手方向Ｘにおいて端子台１３０とともに電源孔１１１ａを挟む位置に、蓄電池２４０が収容部２０００から本体凹部１１０へ通過可能な蓄電池用開口２１７を形成している。【選択図】図８
2019212640.tif 000002
【特許請求の範囲】
【請求項１】
光源ユニットと、
前記光源ユニットが着脱自在に取り付けられる長尺状の凹部を有する器具本体と、
非常用光源部、前記非常用光源部を点灯させる蓄電池、前記凹部に前記光源ユニットを着脱する方向と交わる方向で前記凹部に隣接して配置された収容部、及び前記収容部に収容された非常用点灯装置を有する非常用光源ユニットと
を備え、
前記蓄電池は、
前記凹部と前記収容部とを貫通する経路を介して非常用点灯装置と接続される照明装置。
【請求項２】
前記蓄電池は、蓄電池側接続部を有しており、
前記非常用点灯装置は、装置側接続部を有しており、
前記蓄電池側接続部と前記装置側接続部とは、前記凹部の内部において接続される請求項１に記載の照明装置。
【請求項３】
前記蓄電池側接続部は、蓄電池側電線と前記蓄電池側電線の端部に取り付けられた蓄電池側コネクタとを有しており、
前記装置側接続部は、装置側電線と前記装置側電線の端部に取り付けられた装置側コネクタとを有しており、
前記蓄電池側コネクタと前記装置側コネクタとは、前記凹部に配置された状態で接続される請求項２に記載の照明装置。
【発明の詳細な説明】
【技術分野】
【０００１】
この発明は、常用時に点灯する光源ユニットと、非常時に点灯する非常用光源ユニットとを備えた照明装置に関する。
【背景技術】
【０００２】
特許文献１には、長尺に形成され点灯装置を備えた光源ユニットと、非常用光源ユニットと、光源ユニットの一部と非常用光源ユニットとが収容される凹部を有する器具本体部とを備える照明器具が記載されている。
この照明器具は、なんらかの理由で商用電源からの電力供給が停止され光源ユニットが点灯できない非常時に、非常用電源である蓄電池を電源として非常用光源ユニットを点灯させる。
【先行技術文献】
【特許文献】
【０００３】
【特許文献１】特開２０１５−８８４３３号公報
【発明の概要】
【発明が解決しようとする課題】
【０００４】
特許文献１の照明器具では、凹部の内側には、器具本体を被取付部に取り付ける為のボルトなどの取付具、照明器具の外部に設けられた商用電源から電力供給をうける為に引き込まれた電線ケーブル、光源ユニットを器具本体に取り付ける取付手段なども収納されている。更に、凹部の内側には、部材同士を電気的に接続する複数の電線も収容されており、凹部の内部に収容された部材、電線が、互いに干渉することが考えられる。
【０００５】
また、凹部は長手方向において器具本体と同等の寸法に形成されており、凹部には光源ユニットと、非常用光源ユニットとが長手方向で並設されている。
常用時には、光源ユニットしか点灯しないので、長手方向に非常用光源ユニットを配置した場合、器具本体の長手方向の長さに対して発光面積が少なくなる。また、器具長さを常用灯器具と同じ長さにすると、長手方向に非常用光源ユニットを配置した場合は光源ユニットを短くしなくてはならない。
【０００６】
本発明は、非常用光源ユニットを備えた照明装置において、凹部に収容される部材、電線の干渉を抑制する照明装置の提供を目的とする。
【０００７】
また、本発明は、非常用光源ユニットを備えた照明装置において、常用時の発光面積を維持した照明装置の提供を目的とする。
【課題を解決するための手段】
【０００８】
この発明の照明装置は、
光源ユニットと、
前記光源ユニットが着脱自在に取り付けられる長尺状の凹部を有する器具本体と、
非常用光源部、前記非常用光源部を点灯させる蓄電池、前記凹部に前記光源ユニットを着脱する方向と交わる方向で前記凹部に隣接して配置された収容部、及び前記収容部に収容された非常用点灯装置を有する非常用光源ユニットと
を備え、
前記蓄電池は、
前記凹部と前記収容部とを貫通する経路を介して非常用点灯装置と接続される。
【発明の効果】
【０００９】
本発明の照明装置は、凹部の短手方向で凹部に隣接して配置される収容部を備えている。よって、非常用光源ユニットを備えた照明装置において、凹部に収容される部材、電線の干渉を抑制することができる。
【図面の簡単な説明】
【００１０】
【図１】実施の形態１の図で、照明器具の斜視図。
【図２】実施の形態１の図で、照明器具の４面図を示し（ａ）は平面図、（ｂ）は正面図、（ｃ）は底面図、（ｄ）は右側面図。
【図３】実施の形態１の図で、照明装置の分解斜視図。
【図４】実施の形態１の図で、図２（ａ）のＡ−Ａ断面図。
【図５】実施の形態１の図で、光源ユニットの斜視図であり、（ａ）は点灯装置側から見た斜視図、（ｂ）はカバー側から見た斜視図。
【図６】実施の形態１の図で、光源ユニットの分解斜視図であり、連結具、点灯装置を省略した分解斜視図。
【図７】実施の形態１の図で、光源ユニットに配置される連結具の斜視図。
【図８】実施の形態１の図で、器具本体の斜視図。
【図９】実施の形態１の図で、器具本体に配置されるバネの斜視図。
【図１０】実施の形態１の図で、非常用光源ユニットの分解斜視図。
【図１１】実施の形態１の図で、図１０のＣ方向からみたユニット化粧部の図。
【図１２】実施の形態１の図で、非常用光源ユニットの分解斜視図。
【図１３】実施の形態１の図で、非常用光源ユニットの本体凹部への取付方法を示す図。
【図１４】実施の形態１の図で、非常用光源ユニットの本体凹部への取付方法を示す斜視図。
【図１５】実施の形態１の図で、図１４の後の取付状態を示す図であり、非常用光源ユニットの本体凹部への取付後を示す斜視図。
【図１６】実施の形態１の図で、図１５のＦ方向矢視を示す図。
【図１７】実施の形態１の図で、器具本体及び非常用光源ユニットの配線図。
【図１８】実施の形態１の図で、器具本体の変形例を示す図。
【図１９】実施の形態１の図で、器具本体の変形例を示す別の図。
【発明を実施するための形態】
【００１１】
実施の形態１．
＜＊＊＊構成の説明＊＊＊＞
図１〜図１９を参照して実施の形態１における照明装置の構成について説明を行なう。本実施の形態では、本発明に係る照明装置の一例として、天井などの被取付部に取り付けられる、トラフ型の照明装置１について説明する。実施の形態１で説明する照明装置１は、図１のように長尺状である。
以下の実施の形態では、図１に示すように、照明装置１において、長手方向をＸ、短手方向をＹと決め、長手方向Ｘ、短手方向Ｙのように記す。また、長手方向Ｘに直交し、かつ、光源ユニット１０から器具本体１００に向かう方向をＺ１方向、その反対方向をＺ２方向とする。また、長手方向Ｘにおいて、非常用光源ユニット２００のレンズ２２３から引き棒２５２に向かう方向を方向Ｘ１とし、その反対方向をＸ２とする。以下に説明する光源ユニット１０及び器具本体１００も長尺状であり、長手方向Ｘ等は照明装置１と同様とする。
【００１２】
（照明装置１に関して）
図１〜図３のように、照明装置１は、長尺状に形成された光源ユニット１０と、器具本体１００と、非常用光源ユニット２００とを備えている。器具本体１００は本体凹部１１０を有する。本体凹部１１０は、被取付部に当接するように設置され、光源ユニット１０の一部が収容されると共に光源ユニット１０が脱着可能に取り付けられた長尺状である。非常用光源ユニット２００は、本体凹部１１０の短手方向Ｙで本体凹部１１０に隣接して配置された収容部２０００、収容部２０００に収容された蓄電池２４０を有する。後述のように収容部２０００は、ユニット化粧部２１２と底面配置部２１１ａとによって構成される。
【００１３】
（光源ユニット１０に関して）
図５〜図７を参照して、光源ユニット１０を説明する。なお、図６では連結具１５、点灯装置１６を省略している。光源ユニット１０は、発光体１１、フレーム１２、カバー１３、光源蓋部１４、連結具１５、点灯装置１６を備えている。
（１）発光体１１は、複数の発光素子１１ａと複数の発光素子１１ａが実装されている基板１１ｂとからなる。この実施の形態では、発光素子１１ａはＬＥＤである。なお発光素子１１ａはＬＥＤに限らず、有機ＥＬあるいはレーザなどの発光素子でもよい。発光体１１は発光モジュールと呼ばれる場合もあり、発光素子にＬＥＤを用いる場合はＬＥＤモジュールと呼ばれる場合がある。
（２）フレーム１２は、発光体１１が取り付けられる。
（３）カバー１３は、フレーム１２に発光体１１を覆うように取り付けられると共に、発光体１１から照射される光を拡散制御する。
（４）光源蓋部１４は、カバー１３の長手方向端部を覆う。
（５）連結具１５が器具本体１００に配置されたバネ１４０と連結することで、光源ユニット１０が器具本体１００に固定される。
（６）点灯装置１６は、発光体１１を点灯させる。
【００１４】
発光体１１は、複数の発光素子１１ａと、複数の発光素子１１ａを実装する基板１１ｂを有している。発光体１１は、照明装置１の長手方向Ｘにおける全長と略同等となるような長尺状に形成されている。発光素子１１ａは基板１１ｂの長手方向Ｘへ直線状に配置されている。図６では発光素子１１ａは２列であるが、発光素子１１ａは３列以上でもよいし１列でもよい。
【００１５】
フレーム１２は、発光体１１が取り付けられる略矩形状をしたフレーム正面部１２ａと、フレーム正面部１２ａの長手方向Ｘの両側の辺を基端部として垂直状に突き出した一対のフレーム側面部１２ｂとを有しており、フレーム１２は長尺状に形成されている。また、フレーム正面部１２ａの発光体１１が取り付けられた取付面１２ａａの裏側となる背面１２ａｂには、連結具１５および点灯装置１６が配置されている。
【００１６】
カバー１３は、円弧部１３ａ、把持部１３ｂ、係合部１３ｃを有している。カバー１３はポリカーボネートなどの樹脂部材から形成されている。
（１）円弧部１３ａは、長手方向Ｘを法線方向とする切断面の断面において、発光体１１を覆うように円弧状に形成されている。
（２）把持部１３ｂは、円弧部１３ａの両端から凹み形状に起立して形成されており、作業者が光源ユニット１０を器具本体１００に着脱する際に作業者に把持される。
（３）係合部１３ｃは、略コの字状であり、把持部１３ｂの端部に形成されており、フレーム側面部１２ｂに係合する。カバー１３は長尺に形成されており、円弧部１３ａ、把持部１３ｂ、係合部１３ｃの各部が、長手方向Ｘに連続して形成されている。
【００１７】
光源蓋部１４は、カバー１３とフレーム１２とによって形成される、長手方向Ｘの端部の開口を塞ぐ。
【００１８】
図７のように、連結具１５は、略Ｌ字形状をしており、フレーム背面１２ａｂにネジなどの固定部材で固定される。連結具１５は、フレーム背面１２ａｂに固定される連結具固定部１５ａと、連結具固定部１５ａの側辺より略垂直に突き出しており、後述するバネ１４０のバネ円弧部１４１が挿し込まれて係合する連結具開口部１５ｂａが形成された連結部１５ｂとを有している。
【００１９】
点灯装置１６は、器具本体１００に配置された端子台１３０を介して商用電源からの電力を発光体１１に供給し、発光体１１を点灯させる。点灯装置１６は、図示しない電源回路が内蔵され長尺形状をなす点灯装置本体１６ａと、端子台側接続部１３２と接続する光源ユニット側接続部１６ｂを備えている。図５のように、光源ユニット側接続部１６ｂは、光源ユニット側電線１６ｂａと、光源ユニット側電線１６ｂａの先端に設けられ光源ユニット側コネクタ１６ｂｂを備えている。
【００２０】
（器具本体１００に関して）
図４のように、器具本体１００は、長尺状に形成されており長手方向Ｘを法線方向とする切断面の断面が凹形状をした本体凹部１１０と、本体凹部１１０の短手方向Ｙにおいて、本体凹部１１０に隣接して設けられた非常用光源ユニット２００を有している。
【００２１】
本体凹部１１０は、長尺状に形成されており、図３、図４のように、長手方向Ｘを法線方向とする切断面の断面が凹形状をしている。本体凹部１１０は、本体凹部１１０の長手方向Ｘの端面を塞ぐ一対の端板部１２０と、本体凹部１１０の凹形状の内側に配置される端子台１３０と、バネ１４０を有している。
【００２２】
本体凹部１１０は、凹形状の底面部に相当し、略矩形状をした本体底面部１１１と、凹形状の側壁に相当し、本体底面部１１１の長手方向Ｘに向かうそれぞれの側辺を基端部として互いに対向して立ち上がる第一の側面部１１２、第二の側面部１１３を備える。本体底面部１１１には、外部から電源線４００を引き込む為の電源孔１１１ａ、器具本体１００をボルトなどの取付具により天井などの被取付部に取り付けをする為の取付孔１１１ｂが形成されている。つまり図８のように，本体凹部１１０は、取付具を通すための一対の取付孔１１１ｂが、端子台１３０と蓄電池用開口２１７とを長手方向Ｘで挟む位置に形成されている。第一の側面部１１２は、非常用光源ユニット２００に隣接する側面部であり、第一の連通部１１２ａと、第二の連通部１１２ｂが形成されている。このように、本体凹部１１０は、電源線４００が引き込まれる電源孔１１１ａが形成されていると共に、長手方向Ｘに沿って電源孔１１１ａに隣接して配置され、電源線４００が接続される端子台１３０を有する。電源孔１１１ａは、本体凹部１１０の長手方向Ｘの略中央に配置されている。
【００２３】
図３のように、端板部１２０は、本体凹部１１０の長手方向Ｘの端面を覆う。端板部１２０は、ノックアウト加工により取外し可能に形成された、端板蓋部１２１を有している。なお、複数の照明装置１、１’・・・を連結するときには、端板部１２０から端板蓋部１２１を外すことで、電源線などを照明装置１に隣接する照明装置１′から引き込んでも
よい。
【００２４】
後述する図１７のように、端子台１３０は、外部から引き込まれた電源線４００が接続され、光源ユニット１０および非常用光源ユニット２００に電力を供給する。端子台１３０は、矩形箱状に形成された端子台本体１３１と、点灯装置１６の光源ユニット側接続部１６ｂに電気的に接続する端子台側接続部１３２とを備えている。端子台本体１３１は、出力端子１３１ｂを複数有している。複数設けられた出力端子１３１ｂの１つには、端子台側接続部１３２が接続される。他の出力端子１３１ｂには、後述する非常用光源ユニット２００の非常用点灯装置２３０と接続する電線３００が接続される。端子台側接続部１３２は、端子台側電線１３２ａと、端子台側電線１３２ａの先端に設けられた端子台側コネクタ１３２ｂとを備えている。
【００２５】
図９のように、バネ１４０は、後述する光源ユニット１０に設けられた連結具１５と連結する。バネ１４０は、円弧形状をしたバネ円弧部１４１と、本体凹部の本体底面部１１１に当接し固定されるバネ固定部１４２と、バネ円弧部１４１の先端に設けられたバネ爪部１４３とを有している。バネ１４０は、連結具１５の連結具開口部１５ｂａにバネ円弧部１４１が挿し込まれ、バネ円弧部１４１が連結具開口部１５ｂａの縁１５ｂａａ（図７）を摺動することで、光源ユニット１０の一部が本体凹部１１０に収容されるように光源ユニット１０を本体凹部１１０の凹形状の空間に引き込む。
【００２６】
（非常用光源ユニット２００に関して）
図８、図１０〜図１７を参照して非常用光源ユニット２００を説明する。非常用光源ユニット２００は、ユニット外郭部２１０、非常用光源部２２０、非常用点灯装置２３０、蓄電池２４０、点検スイッチ２５０を備えている。ユニット外郭部２１０は、略直方体形状であり外郭をなす。非常用光源部２２０は、ユニット外郭部２１０の内側に収容され、非常用光源の機能を果たす。また、図示しないが、非常用光源ユニット２００は、蓄電池２４０が正常に充電されているかどうか表示するモニタ用ランプを備えている。なお、蓄電池２４０を示すために図８では蓄電池２４０の蓄電池本体２４１が蓄電池用開口２１７から飛び出している状態を示しているが、照明装置１の使用状態では蓄電池本体２４１は図４のように収容部２０００に収容されている。
【００２７】
ユニット外郭部２１０は、本体凹部１１０の本体底面部１１１と短手方向に並ぶように配置されるユニット底面部２１１と、蓋のない略箱形状をしたユニット化粧部２１２とを有している。ユニット外郭部２１０は不燃材により形成されており、この実施の形態では、ユニット外郭部２１０は金属部材で形成されている。
【００２８】
ユニット外郭部２１０のうち、ユニット化粧部２１２と底面配置部２１１ａとは、非常用光源ユニットの機能を果たす非常用点灯装置２３０、蓄電池２４０等の各部品を収納する収容部２０００を構成する。
【００２９】
図１４のように、ユニット底面部２１１は、底面配置部２１１ａ、底面取付部２１１ｂを有する。この実施の形態では、底面配置部２１１ａと底面取付部２１１ｂとは一体である。底面配置部２１１ａは、ユニット底面部２１１のうち、図１４に示す破線Ｄの範囲の部分である。また底面取付部２１１ｂは、ユニット底面部２１１のうち、図１４に示す破線Ｅの範囲の部分である。底面配置部２１１ａは、ユニット化粧部２１２の蓋の役割を持つ。底面取付部２１１ｂは、ユニット化粧部２１２及び底面配置部２１１ａからなる収容部２０００を本体凹部１１０に取り付ける役割を持つ。底面配置部２１１ａにおいてユニット化粧部２１２の装着側の配置面２１１ａ−１（図１０）は、ユニット化粧部２１２で覆われる。配置面２１１ａ−１には、非常用点灯装置２３０と、蓄電池２４０と、点検スイッチ２５０が配置される。底面取付部２１１ｂでは、本体底面部１１１に対向する当接
面２１１ｂ−１が、本体底面部１１１に突き当たった状態で接しており、底面取付部２１１ｂが本体底面部１１１の固定されることで、非常用光源ユニット２００が本体凹部１１０に固定される。図１４、図１５のように、底面取付部２１１ｂは、電源孔１１１ａと連通する底面電源孔２１１ｂａと、第二の側面部１１３側に形成された第一固定孔２１１ｂｂと、第一の側面部１１２側に形成された第二固定孔２１１ｂｃを有する。
【００３０】
なお、この実施の形態では、底面配置部２１１ａと底面取付部２１１ｂとは一体の部材であるが、底面配置部２１１ａと底面取付部２１１ｂとを別々の部材としてもよい。
【００３１】
図１０、図１２のように、ユニット化粧部２１２は、ユニット正面部２１３と、ユニット側面部２１４とを有している。ユニット正面部２１３は、レンズ開口２１３ａが形成されている部分であり、ユニット正面部２１３以外がユニット側面部２１４である。ユニット側面部２１４はユニット側面部２１４−１、２１４−２，２１４−３，２１４−４、２１４−５がある。後述のようにユニット側面部２１４−５は器具隣接壁部２１５である。ユニット正面部２１３は、ユニット底面部２１１の底面配置部２１１ａと対向する。ユニット側面部２１４は箱形状であるユニット化粧部２１２の各側面であり、底面配置部２１１ａと、ユニット正面部２１３との間に位置する。ユニット正面部２１３には、後述する非常用光源部２２０のレンズ２２３が突出するように配置されたレンズ開口２１３ａと、点検スイッチ２５０の引き棒２５２が突出するように配置されたスイッチ開口２１３ｂが設けられている。
【００３２】
各ユニット側面部２１４のうち、本体凹部１１０の第一の側面部１１２と対向するユニット側面部２１４−５は、器具隣接壁部２１５である。器具隣接壁部２１５は、非常用点灯装置２３０への入出力の電線の配置のため、および蓄電池２４０が挿し込まれるための形状に形成されている。具体的には、器具隣接壁部２１５は矩形形状ａ，ｉ，ｊ，ｈから部分ａ，ｂ，ｃ，ｄ，ｅ，ｆ、ｇ，ｈを切り取ったような形状である。この「部分ａ，ｂ，ｃ，ｄ，ｅ，ｆ、ｇ，ｈ」を開放部２１５Ｃと記す。ユニット正面部２１３からのＺ１方向の高さは、ユニット側面部２１４−１、２１４−３、２１４−４のいずれも寸法Ｈ（図１０）であるが、器具隣接壁部２１５の高さは寸法Ｈによりも低い。器具隣接壁部２１５のうち、ｃ，ｄ，ｅ，ｆの凹形状の部分を壁凹部２１５Ａと呼び、一定の高さｂ、ｃの部分を長壁部２１５Ｂと呼ぶ。図８のように、器具隣接壁部２１５は、非常用光源ユニット２００が本体凹部１１０に取り付けられた状態において、第一の連通部１１２ａと電線用開口２１６を形成し、第二の連通部１１２ｂと、蓄電池用開口２１７を形成する。非常用光源ユニット２００が本体凹部１１０に固定された場合、ユニット化粧部２１２の壁凹部２１５Ａ、長壁部２１５Ｂは、第一の側面部１１２の第一の連通部１１２ａ，第二の連通部１１２ｂに対して、図１０の第一の連通部１１２ａ，第二の連通部１１２ｂの位置に二点鎖線で示した取り付け状態となる。
【００３３】
つまり、第一の連通部１１２ａの切り欠かれている下端に長壁部２１５Ｂの上端ｂ〜ｃの一部が位置することで電線用開口２１６が形成されている。また、第二の連通部１１２ｂの切り欠かれている下端に壁凹部２１５Ａの上端ｃ〜ｆが位置することで蓄電池用開口２１７が形成されている。なお、図１０に示すユニット化粧部２１２の側面高さＨは、図４のように、光源ユニット１０の把持部１３ｂ側方に非常用光源部２２０のレンズ２２３が配置されるような高さである。よって、光源ユニット１０と非常用光源部２２０とが互いに相手に与える配光の影響が少ない位置である。
【００３４】
図１０のように、非常用光源部２２０は、発光素子２２１が実装された基板２２２と、ソケット２２２ａと、実装された発光素子２２１の前方に配置されるガラス製のレンズ２２３と、略コの字形状であり基板２２２が設置される光源設置台２２４を有する。非常用光源部２２０は、光源おさえ２２３ａで光源設置台２２４に取り付けられる。非常用光源
部２２０は、レンズ２２３がレンズ開口２１３ａからＺ２方向（図２（ｂ））に突出する。レンズ２２３は、発光素子２２１が照射する光を広角に配光するレンズであり、非常用光源部として必要な範囲へ照射する配光特性を有している。この実施の形態ではバッドウィング形の配光特性を有している。光源設置台２２４は、放熱効果も有するとともに、内側には非常用点灯装置２３０が配置される。
【００３５】
図１０のように、非常用点灯装置２３０は、略直方体形状をした非常用点灯装置本体２３１と、装置側接続部２３２とを有している。装置側接続部２３２は、装置側電線２３２ａと装置側電線２３２ａの端部に取り付けられて蓄電池２４０に接続している装置側コネクタ２３２ｂとを有している。装置側コネクタ２３２ｂは後述の蓄電池側コネクタ２４２ｂと接続する。
図１７は器具本体及び非常用光源ユニットの配線図である。図１７は、図８のＫ方向矢視に相当し、ユニット化粧部２１２が外された状態であり、レンズ２２３、光源おさえ２２３ａ等が露出しており、また器具本体１００の第一の側面部１１２、第二の側面部１１３を途中で切断している。図１７のように、非常用点灯装置２３０には、非常用光源ユニット２００が本体凹部１１０の側方に配置された状態において、電線用開口２１６を介して、端子台１３０から電線３００が引き込まれている。電線３００は、端子台１３０と接続して電力の供給をうける電線である。また、装置側接続部２３２は、ユニット外郭部２１０の外側に配置されている。
【００３６】
非常用点灯装置２３０は、商用電源などの外部電源が正常に供給されている状態では、商用電源からの電力により蓄電池２４０を充電する。停電などにより商用電力からの電力供給が停止されると、蓄電池２４０からの電力により非常用光源部２２０を点灯させる。図１２のように、非常用点灯装置２３０は、光源設置台２２４の内側に配置される。
【００３７】
図１０のように、蓄電池２４０は、略直方体形状をした蓄電池本体２４１と、蓄電池側接続部２４２を有している。蓄電池側接続部２４２は、蓄電池側電線２４２ａと、蓄電池側コネクタ２４２ｂを有している。蓄電池側コネクタ２４２ｂは非常用点灯装置２３０の装置側コネクタ２３２ｂと接続している。蓄電池側電線２４２ａは蓄電池側コネクタ２４２ｂに接続している。蓄電池２４０は、図１０、図１２に示す、コの字形状をした蓄電池保持部材２４３の内側に配置される。
蓄電池保持部材２４３は、蓄電池保持部材２４３の開口２４３ａが、蓄電池用開口２１７と連通位置にあるように配置されている。蓄電池２４０は、非常用光源ユニット２００が本体凹部１１０に配置された状態において、蓄電池用開口２１７を介して出し入れ可能に電池保持部材２４３の内側に収容される。なお蓄電池２４０は、長手方向Ｘにおいて端子台１３０とともに電源孔１１１ａを挟む位置で、収容部２０００の内部に収容されている。また、図１７のように、蓄電池側接続部２４２の蓄電池側コネクタ２４２ｂは、蓄電池用開口２１７を介して、ユニット外郭部２１０の外側になるように配置されている。
【００３８】
図１０に示す点検スイッチ２５０は、内側にスイッチ端子（図示していない）が実装された基板が配置された点検スイッチ本体２５１と、スイッチ端子と接続し点検スイッチ本体２５１から操作可能に突設した引き棒２５２を有している。点検スイッチ２５０は、光源設置台２２４の一部に保持され、図８のように、引き棒２５２がユニット外郭部２１０のスイッチ開口２１２ｂから突き出すように配置される。点検スイッチ２５０は、蓄電池２４０が正常か否かを点検するためのスイッチである。点検スイッチ２５０の引き棒２５２が引かれると、設定されている時間の間、蓄電池２４０の電力で非常用光源部２２０の非常用点灯が行われる。
【００３９】
（非常用光源ユニット２００の取付け機構）
図１３〜図１６を参照して、非常用光源ユニット２００の本体凹部１１０への取付機構に関して説明を行う。
（１）はじめに、図１３のように、作業者は、非常用光源ユニット２００のユニット底面部２１１の底面取付部２１１ｂを、本体凹部１１０の本体底面部１１１に当接させる。このとき、作業者は、本体底面部１１１の電源孔１１１ａと底面電源孔２１１ｂａとが連通するように非常用光源ユニット２００を配置する。底面取付部２１１ｂは、本体底面部１１１の短手方向Ｙにおける長さと略同等に形成されている。よって、底面取付部２１１ｂは、本体底面部１１１の短手方向Ｙの略全長において、本体底面部１１１と当接する。
（２）次に、作業者は、ユニット底面部２１１の第一固定孔２１１ｂｂ、第二固定孔２１１ｂｃを、本体凹部１１０の第一器具側固定孔１１１ｂｂ、第二器具側固定孔１１１ｂｃに連通させて、連通した状態で、その４箇所を取付部材（ネジ、リベットなど）で非常用光源ユニット２００を本体底面部１１１に取り付ける。これにより、非常用光源ユニット２００は本体底面部１１１に固定される。この実施の形態では取付部材としてネジ５０１を用いている（図１６）。この取付け状態では、底面取付部２１１ｂは本体底面部１１１に当接している状態となっている。
【００４０】
以上のような取付工程で、非常用光源ユニット２００は、本体凹部１１０に固定される。非常用光源ユニット２００が本体凹部１１０に固定された状態では、以下の（１）〜（３）の状態となっている。
（１）本体底面部１１１の短手方向Ｙの略全長において、底面取付部２１１ｂは本体底面部１１１に当接している。
（２）本体底面部１１１の短手方向Ｙにおいて非常用光源部２２０の光軸２２０ａ（図１６）よりも遠くに位置する第二の側面部１１３側の第一固定孔２１１ｂｂで、非常用光源ユニット２００の底面取付部２１１ｂが本体底面部１１１に固定される。
（３）図１６のように、本体底面部１１１の短手方向Ｙにおいて、非常用光源部２２０の光軸２２０ａと第一固定孔２１１ｂｂとの間である第二固定孔２１１ｂｃで、底面取付部２１１ｂが本体底面部１１１に固定される。
【００４１】
上記の（１）〜（３）の取付構成によって、非常用光源ユニット２００を、安定して本体凹部１１０に取り付けすることができる。つまり、上記（１）では“短手方向Ｙの略全長”で底面取付部２１１ｂが本体底面部１１１に当接することにより、非常用光源ユニット２００の重量を本体凹部１１０に分担させ伝えることができるので、本体凹部１１０が部分的に変形するのを抑制できる。したがって、非常用光源ユニット２００が、本体凹部１１０の部分的変形によってＺ２方向（図１６）へ垂れ下がることを抑制できる。
上記（２）では、本体底面部１１１の短手方向Ｙにおける第二の側面部１１３側で底面取付部２１１ｂを固定している。これにより、非常用光源ユニット２００の重量により、ユニット底面部２１１の第二の側面部１１３がＺ１方向（図１６）へ浮き上がるのを抑制し、非常用光源ユニット２００がＺ２方向へ垂れ下がる抑制している。
上記（３）は、本体底面部１１１の短手方向Ｙにおける第一の側面部１１２側で固定している。これにより、保管状況や振動などによりユニット底面部２１１が変形し非常用光源ユニット２００がＺ１方向へ浮き上がるのを抑制している。
上記（１）〜（３）から非常用光源ユニット２００の装着に伴う本体凹部１１０の変形を防止できる。
【００４２】
以上に説明した第一固定孔２１１ｂｂ、第二固定孔２１１ｂｃの配置構成により、非常用光源ユニット２００を本体凹部１１０に安定して取付けることができる。また、ユニット底面部２１１にリブを設ける、あるいはヘミング加工の補強部を設けることで、より剛性を高めて安定させることができる。
【００４３】
なお、本実施の形態では非常用光源ユニット２００として組立完成後に本体凹部１１０に取り付けているが、ユニット底面部２１１を本体凹部１１０に取り付けを行ってから各部の取付けを実施して非常用光源ユニット２００を完成してもよい。
【００４４】
（器具本体１００の配線に関して）
器具本体１００の配線に関して図１７を用いて説明を行う。器具本体１００は、本体凹部１１０の第一の側面部１１２の短手方向Ｙの側方に隣接するように、非常用光源ユニット２００が配置されている。端子台１３０は、本体凹部１１０の電源孔１１１ａを略中心として、電源孔１１１ａよりもＸ１方向に位置する。このとき、端子台１３０は出力端子１３１ｂがＸ１方向側、つまり長手方向Ｘの外向きになるよう配置されている。また、第一の側面部１１２には第一の連通部１１２ａ、第二の連通部１１２ｂが設けられているが、第一の連通部１１２ａは電源孔１１１ａよりもＸ１方向側に設けられており、第二の連通部１１２ｂは電源孔１１１ａよりもＸ２方向側に設けられている。つまり、第一の連通部１１２ａ、第二の連通部１１２ｂはそれぞれ電線用開口２１６、蓄電池用開口２１７を形成するが、図１７のように、長手方向Ｘにおいて、電源孔１１１ａは電線用開口２１６と蓄電池用開口２１７との間に位置する。
【００４５】
図１７に示す配線の構成は、以下の（ａ）〜（ｅ）のようになる。
（ａ）電源孔１１１ａから引き込まれた電源線４００は、端子台１３０のＸ２方向側に設けられた入力端子１３１ａに接続されている。
（ｂ）電線３００の一端側が端子台１３０の出力端子１３１ｂに接続され、電線３００の他端側が、非常用光源ユニット２００の非常用点灯装置２３０に接続されている。なお、端子台１３０の出力端子１３１ｂには、端子台側接続部１３２が接続されている。この端子台側接続部１３２は、光源ユニット１０の光源ユニット側接続部１６ｂと接続し、点灯装置１６に電力を供給する。
（ｃ）非常用点灯装置２３０では、装置側接続部２３２の装置側電線２３２ａが電線用開口２１６を通過しており、装置側コネクタ２３２ｂが装置側電線２３２ａの一部と共に本体凹部１１０内側に配置される。
（ｄ）蓄電池用開口２１７が、電源孔１１１ａよりもＸ２方向側へ設けられており、蓄電池側接続部２４２の蓄電池側電線２４２ａが蓄電池用開口２１７を通過しており、蓄電池側コネクタ２４２ｂが蓄電池側電線２４２ａの一部と共に本体凹部１１０内側に配置される。
（ｅ）装置側接続部２３２の装置側コネクタ２３２ｂと、蓄電池側接続部２４２の蓄電池側コネクタ２４２ｂとは、電源孔１１１ａよりもＸ２方向側で接続されている。
つまり、装置側コネクタ２３２ｂと蓄電池側コネクタ２４２ｂとは、長手方向Ｘにおいて端子台１３０とともに電源孔１１１ａを挟む本体凹部１１０の内部の位置で、接続している。なお、装置側電線２３２ａと蓄電池側電線２４２ａとの長さは、装置側コネクタ２３２ｂと蓄電池側コネクタ２４２ｂとが接続可能で、かつ、長すぎずない程度である。灯装置側電線２３２ａと蓄電池側電線２４２ａとは図１７に示すように、一部が本体底面部１１１に電線支持部１１１ｃで固定されている。
【００４６】
なお、図１７に示すように、器具本体１００に光源ユニット１０が取り付けられた状態では、短手方向Ｙにおいて、蓄電池２４０の側方に、光源ユニット１０のカバー１３の係合部１３ｃが配置される。この配置によって、蓄電池２４０が、ユニット外郭部２１０の蓄電池用開口２１７から意図せずに本体凹部１１０の内側に出てしまうのを防止できる効果がある。
また、蓄電池用開口２１７に対向するように点灯装置１６を配置する構成であれば、より上記効果が向上する。つまり蓄電池２４０は収容部２０００に収容されており、かつ、本体凹部１１０に収容された光源ユニット１０の一部により、収容部２０００から本体凹部１１０への蓄電池用開口２１７を介しての移動が阻止されている。蓄電池２４０の移動を阻止する「光源ユニット１０の一部」は上記の例ではカバー１３の係合部１３ｃあるいは点灯装置１６である。
【００４７】
（通常時の点灯動作に関して）
次に、通常時の点灯動作に関して説明を行う。通常時（商用電源からの電力供給が行われているとき）は、端子台１３０を介して点灯装置１６に電力を供給され光源ユニット１０は点灯する。このとき、非常用点灯装置２３０は電線３００を介して供給された電力を蓄電池２４０に供給し、蓄電池２４０を充電させる。
【００４８】
（非常時の点灯動作に関して）
次に、非常時の点灯動作に関して説明を行う。非常時は、点灯装置１６への電力供給が停止され、光源ユニット１０は消灯する。非常時とは停電などなんらかの理由で商用電源からの電力供給が停止されたときを意味する。
非常用点灯装置２３０は電線３００からの電力供給が停止されると、蓄電池２４０からの電力供給に切り替え、非常用光源部２２０に電力を供給し、非常用光源部２２０は点灯する。
【００４９】
＜＊＊＊本実施の形態の効果（配線・器具本体）＊＊＊＞
（１）照明装置１では、器具本体１００は、光源ユニット１０を保持する本体凹部１１０と、非常用光源ユニット２００とを備えている。非常用光源ユニット２００の収容部２０００は本体凹部１１０の短手方向Ｙの側方に配置されていることよって、非常用光源ユニット２００を設けるに際して、長手方向Ｘに隣接して収容部２０００を設ける場合のように、照明装置１の長手方向全長を長くしたり、あるいは光源ユニットの全長を短くしなくてよい。また、照明装置１は、照明装置１の長手方向Ｘの長さと略同等の長さを有する光源ユニット１０を用いることができるので、非常用光源ユニット２００を設ける場合であっても、非常用光源ユニット２００を設けていない場合と同様の発光面積を維持することができる。
（２）器具本体１００は、光源ユニット１０が取り付けられる本体凹部１１０と、非常用光源ユニット２００を別体で設けている。非常時の光源となる構成部材を、非常用光源ユニット２００として本体凹部１１０と別体で形成することにより、照明装置の組み立て性を向上できる。
（３）また、別体であるので、ユニット外郭部２１０は、本体凹部１１０と異なる材料で形成できる。よって、非常用光源ユニット２００は、非常用光源として、防火性に優れた材料など、用途に応じた材料で構成することができる。また、ユニット外郭部２１０のみを特定用途材料で構成することで、器具本体１００全てを特定用途材料で構成するよりもコストを抑制することができる。
（４）また、配線構成は上記（ａ）〜（ｅ）のようにすることで、電源線４００、各部材、電線３００のそれぞれが互い干渉するのを抑制できる。とくに上記（ｄ）で示した構成により、蓄電池２４０の非常用光源ユニット２００への挿入、取り出しが容易になる。また、上記（ｅ）の構成により、装置側コネクタ２３２ｂと蓄電池側コネクタ２４２ｂとの接続作業、解除作業が、電源線４００と干渉せずに行える。よって、蓄電池２４０の交換メンテナンスが容易になる。
（５）また、点灯装置１６を電源孔１１１ａよりＸ２方向に設けると、器具本体１００に光源ユニット１０が取り付けられた状態において、本体凹部１１０の内側の空間を有効に利用することができる。
（６）また、対になる取付孔１１１ｂの間であり電源孔１１１ａの周辺に、端子台１３０、非常用光源ユニット２００などの電気部品を集約することで、相互に接続する為の電線が長くなるのを抑制できる。さらに、集約した部品と、取付具（天井に固定する為のボルトなど）あるいはバネ１４０及び連結具１５からなる取付機構との干渉を防止できる。
さらに、取付孔１１１ｂ、電源孔１１１ａが設けられる位置は、非常用光源ユニット２００が装着されない照明装置と同じ位置で良い。つまり、照明装置１は非常用光源ユニット２００を備えていない照明装置と器具本体１００（本体凹部１１０）を共通にできる。
よって、非常用光源ユニット２００を装着しない照明装置のために設けられた「天井等に器具本体１００を取り付けるボルトなどの取付具や器具本体１００に引き込む電源線４００」の位置を変えることなく、そのまま使用できるので施工性がよい。（７）非常用光源ユニット２００は、装置側接続部２３２と蓄電池側接続部２４２とをユニット外郭部２１０の外側に配置しているので、非常用点灯装置２３０と蓄電池２４０を容易に接続できる。また、容易に接続状態を解除できる。
【００５０】
（変形例及び補足）
本実施の形態では、器具本体１００はトラフ型形状をした本体凹部１１０を説明したが、図１８に示すような逆富士型形状の照明装置１Ａでも良いし、図１９に示すような埋込み型形状の照明装置１Ｂでも良い。逆富士型形状、埋込み型形状の場合は、本体凹部１１０の開口（図３のｐ，ｑ，ｒ，ｓの開口）に、傾斜形状をした反射部１１４が対に形成されているとともに、収容部２０００が配置される側の一方の反射部１１４には、非常用光源ユニットが配置可能なように切り欠き１１４ａが形成されている。図１９には切り欠き１１４ａの形状は現れていないが、図１８と同様である。このように本体凹部１１０は、収容部２０００が突き抜ける領域が切り欠き１１４ａとして切除されている反射部１１４を備えている。
【００５１】
また、図１９の埋込み型形状の場合のように、非常用光源ユニット２００の非常用光源部２２０の高さ寸法Ｈ（Ｂ）を大きくし、反射部１１４から突き出すようにしても良い。非常用光源部２２０を反射部１１４から突き出すようにすることで、非常用光源部２２０の配光特性を確保することができる。図１９のように、照明装置１Ｂの非常用光源部２２０Ｂは、収容部２０００Ｂから突き出しており、本体凹部１１０は、非常用光源部２２０Ｂが突き抜ける領域が切除されている。
【００５２】
本実施の形態において、端子台１３０は複数の出力端子１３１ｂを有しており短手方向Ｙにおける巾が広くなっている。よって、照明装置１の複数台を長手方向Ｘに連結したい際に、端子台１３０と第一の側面部１１２もしくは第二の側面部１１３との間に、Ｆケーブルなどの送り配線を配置する空間が確保できない場合も生じ得る。
また、送り配線が蓄電池用開口２１７の正面に配置されると蓄電池２４０の収容・取り出し作業に支障がある。そこで、電源孔１１１ａと端子台１３０との間に、送り配線用開口１１３ａを第二の側面部１１３に形成すると良い。図１７に、本体凹部１１０は、短手方向Ｙにおける収容部２０００と反対側の側面部である第二の側面部１１３に、送り配線用の開口である送り配線用開口１１３ａが形成されている場合を示す。
第二の側面部１１３に送り配線用開口１１３ａを設けることで、本体凹部１１０の第二の側面部１１３側の側方を送り配線用の空間として用いることができる。よって、送り配線と、蓄電池用開口２１７および他構成部材との干渉を抑制することができる。
【００５３】
本実施の形態では、照明装置１は光源ユニット１０が連結具１５、点灯装置１６を有し、器具本体１００がバネ１４０を有している形状について説明を行った。しかし、光源ユニット１０がバネ１４０を有し、器具本体１００が連結具１５、点灯装置１６を有する構成でも良い。
なお、器具本体１００に点灯装置１６を設ける場合は、図１７における長手方向Ｘにおいて、第二の連通部１１２ｂよりもＸ２方向に設置する、もしくは端子台１３０よりＸ１方向に設置し、点灯装置１６と蓄電池２４０とが干渉しないようにすると良い。
【００５４】
本実施の形態では、電源孔１１１ａが本体凹部１１０の長手方向Ｘにおける略中央に設けられる形状に関して説明を行ったが、電源孔１１１ａが形成される位置は長手方向Ｘにおける略中央でなくて良い。本体凹部１１０の長手方向Ｘにおいて、電源孔１１１ａの一方側に端子台１３０が設けられ、他方側に第二の連通部１１２ｂが設けられていれば良い。
【００５５】
なお、本実施の形態では、本体凹部１１０と収容部２０００とは、装置側接続部２３２の装置側電線２３２ａが収容部２０００から本体凹部１１０へ通過している開口である電線用開口２１６を形成している。また本体凹部１１０と収容部２０００とは、長手方向Ｘにおいて端子台１３０とともに電源孔１１１ａを挟む位置に、蓄電池２４０が収容部２０００から本体凹部１１０へ通過可能な開口である蓄電池用開口２１７を形成している。
つまり、第一の連通部１１２ａと器具隣接壁部２１５の開放部２１５Ｃとで電線用開口２１６を形成し、第二の連通部１１２ｂと器具隣接壁部２１５の開放部２１５Ｃとで蓄電池用開口２１７を形成している。
【００５６】
しかし、これに限定されない。本体凹部１１０と収容部２０００とが、電線用開口２１６あるいは蓄電池用開口２１７を形成する構成としては、以下のような場合がある。器具隣接壁部２１５の開放部２１５Ｃが開放されておらず高さＨ（図１０）の一枚板の形状の場合に、器具隣接壁部２１５と第一の側面部１１２とに電線用開口２１６に相当する開口、蓄電池用開口２１７に相当する開口を形成して、器具隣接壁部２１５の開口と第一の側面部１１２の開口とを連通させる。一方の開口が電線用開口２１６、蓄電池用開口２１７の大きさであれば他方の開口はそれよりも大きくても構わない。
あるいは、本体凹部１１０と収容部２０００とのいずれかには、装置側接続部２３２の装置側電線２３２ａが収容部２０００から本体凹部１１０へ通過している開口である電線用開口２１６が形成されている構成でもよい。あるいは、本体凹部１１０と収容部２０００とのいずれかには、長手方向Ｘにおいて端子台１３０とともに電源孔１１１ａを挟む位置に、蓄電池２４０が収容部２０００から本体凹部１１０へ通過可能な開口である蓄電池用開口２１７が形成されている構成でもよい。これらの例として、器具隣接壁部２１５がない場合、つまり図１０において器具隣接壁部２１５の「ｉｂｃｄｅｆｇｊ」の部分がなく、一方、第一の側面部１１２に、電線用開口２１６に相当する開口、蓄電池用開口２１７に相当する開口が形成されているような場合である。
【００５７】
本体凹部１１０と収容部２０００とが蓄電池用開口２１７を形成する場合は、蓄電池２４０、端子台１３０、電源孔１１１ａ及び蓄電池用開口２１７の長手方向Ｘにおける位置関係は次のような構成でも良い。
（ａ１）蓄電池２４０は、長手方向Ｘにおいて端子台１３０と電源孔１１１ａとのうちのいずれか一方とともに他方を挟む位置で、収容部２０００の内部に収容されている。
かつ、
（ａ２）本体凹部１１０と収容部２０００とは、長手方向Ｘにおいて蓄電池２４０が収容されている位置に、蓄電池２４０が収容部２０００から本体凹部１１０へ通過可能な開口である蓄電池用開口２１７を形成している。
上記（ａ１）における、「長手方向Ｘにおいて端子台１３０と電源孔１１１ａとのうちのいずれか一方とともに他方を挟む位置」とは、「いずれか一方」を端子台１３０とした場合には他方は電源孔１１１ａであり、図１７に示す場合に相当し、蓄電池２４０と端子台１３０とで電源孔１１１ａを挟む構成である。そして上記（ａ２）のように、本体凹部１１０と収容部２０００とは、長手方向Ｘにおける蓄電池２４０の収容位置に蓄電池用開口２１７を形成し、これは図１７に相当する。
また、「いずれか一方」を電源孔１１１ａとした場合には他方は端子台１３０であり、図１７に対して、長手方向Ｘにおいて、蓄電池２４０と電源孔１１１ａとで端子台１３０を挟む構成である。この構成は、図１７において電源孔１１１ａと端子台１３０とが長手方向Ｘで入れ替わったような構成である。この場合も上記（ａ２）のように、本体凹部１１０と収容部２０００とは、長手方向Ｘにおける蓄電池２４０の収容位置に蓄電池用開口２１７を形成してよい。
上記（ａ１）（ａ２）の構成によって、非常用光源ユニット２００への蓄電池２４０の
出し入れが容易になる。
【００５８】
本体凹部１１０と収容部２０００とのいずれかに蓄電池用開口２１７が形成されている場合は、蓄電池２４０、端子台１３０、電源孔１１１ａ及び蓄電池用開口２１７の長手方向Ｘにおける位置関係は次のような構成でも良い。
（ｂ１）蓄電池２４０は、長手方向Ｘにおいて端子台１３０と電源孔１１１ａとのうちのいずれか一方とともに他方を挟む位置で、収容部２０００の内部に収容されている。
かつ、
（ｂ２）本体凹部１１０と収容部２０００とのいずれかに、長手方向Ｘにおいて蓄電池２４０が収容されている位置に、蓄電池２４０が収容部２０００から本体凹部１１０へ通過可能な開口である蓄電池用開口２１７が形成されている。上記（ｂ１）は上記（ａ１）で説明した内容と同じである。そして上記（ｂ２）のように、本体凹部１１０と収容部２０００とのいずれかに、長手方向Ｘにおける蓄電池２４０の収容位置に蓄電池用開口２１７が形成されている構成でもよい。
上記（ｂ１）（ｂ２）の構成によって、非常用光源ユニット２００への蓄電池２４０の出し入れが容易になる。
【００５９】
また、電線用開口２１６については、以下のような構成でもよい。
（ｃ１）装置側コネクタ２３２ｂと蓄電池側コネクタ２４２ｂとは、長手方向Ｘにおいて端子台１３０と電源孔１１１ａとのうちのいずれか一方とともに他方を挟む本体凹部１１０の内部の位置で、接続している。
「長手方向Ｘにおいて端子台１３０と電源孔１１１ａとのうちのいずれか一方とともに他方を挟む本体凹部１１０の内部の位置」とは、上記（ａ１）の場合と同様である。
「いずれか一方」を端子台１３０とした場合には他方は電源孔１１１ａであり、図１７に示す場合に相当し、「装置側コネクタ２３２ｂと蓄電池側コネクタ２４２ｂ」が、端子台１３０とともに長手方向Ｘで電源孔１１１ａを挟む構成である。
また「いずれか一方」を電源孔１１１ａとした場合には他方は端子台１３０であり、図１７に対して、長手方向Ｘにおいて、「装置側コネクタ２３２ｂと蓄電池側コネクタ２４２ｂ」が電源孔１１１ａとともに端子台１３０を挟む構成である。この構成は、図１７において電源孔１１１ａと端子台１３０とが長手方向Ｘで入れ替わったような構成である。（ｃ１）の構成によって、作業者による装置側コネクタ２３２ｂと蓄電池側コネクタ２４２ｂとの接続及び解除の作業が容易になる。
【００６０】
なお、本実施の形態では、器具本体１００が本体凹部１１０の短手方向側方に非常用光源ユニット２００の収容部２０００が配置される形状に関して説明を行った。
収容部２０００には、非常用光源ユニット２００を構成する非常用光源部２２０、非常用点灯装置２３０、蓄電池２４０、点検スイッチ２５０等を収容しているが、これら全部ではなくて、非常用光源ユニット２００を構成する非常用光源部２２０等の少なくともいずれかが収容されても良い。
また、収容部２０００には、非常用光源ユニットの構成部品ではない何らかの部品を収容してもよい。何らかの部品として、センサ、プルスイッチなどの機能部品、あるいは電装品を収納しても良い。
【００６１】
なお、本実施の形態では、ユニット底面部２１１は底面配置部２１１ａと底面取付部２１１ｂを有している形状を説明したが、底面配置部２１１ａと底面取付部２１１ｂを別々に設けても良い。
【符号の説明】
【００６２】
１  照明装置、１０  光源ユニット、１１  発光体、１１ａ  発光素子、１１ｂ  基板、１２  フレーム、１２ａ  フレーム正面部、１２ａａ  取付面、１２ａｂ  背面、１２
ｂ  フレーム側面部、１３  カバー、１３ａ  円弧部、１３ｂ  把持部、１３ｃ  係合部、１４  光源蓋部、１５  連結具、１５ａ  連結具固定部、１５ｂ  連結部、１５ｂａ  連結具開口部、１５ｂａａ  縁、１６  点灯装置、１６ａ  点灯装置本体、１６ｂ  光源ユニット側接続部、１６ｂａ  光源ユニット側電線、１６ｂｂ  光源ユニット側コネクタ、１００  器具本体、１１０  本体凹部、１１１  本体底面部、１１１ａ  電源孔、１１１ｂ  取付孔、１１１ｂｂ  第一器具側固定孔、１１１ｂｃ  第二器具側固定孔、１１１ｃ  電線支持部、１１２  第一の側面部、１１２ａ  第一の連通部、１１２ｂ  第二の連通部、１１３  第二の側面部、１１３ａ  送り配線用開口、１１４  反射部、１１４ａ  切り欠き、１２０  端板部、１２１  端板蓋部、１３０  端子台、１３１  端子台本体、１３１ａ  入力端子、１３１ｂ  出力端子、１３２  端子台側接続部、１３２ａ  端子台側電線、１３２ｂ  端子台側コネクタ、１４０  バネ、１４１  バネ円弧部、１４２  バネ固定部、１４３  バネ爪部、２００  非常用光源ユニット、２１０  ユニット外郭部、２１１  ユニット底面部、２１１ａ  底面配置部、２１１ａ−１  配置面、２１１ｂ  底面取付部、２１１ｂ−１  当接面、２１１ｂａ  底面電源孔、２１１ｂｂ  第一固定孔、２１１ｂｃ  第二固定孔、２１２  ユニット化粧部、２１３  ユニット正面部、２１３ａ
レンズ開口、２１３ｂ  スイッチ開口、２１４，２１４−１，２１４−２，２１４−３，２１４−４，２１４−５  ユニット側面部、２１５  器具隣接壁部、２１５Ａ  壁凹部、２１５Ｂ  長壁部、２１５Ｃ  開放部、２１６  電線用開口、２１７  蓄電池用開口、２２０  非常用光源部、２２０ａ  光軸、２２１  発光素子、２２２  基板、２２２ａ  ソケット、２２３  レンズ、２２３ａ  光源おさえ、２２４  光源設置台、２３０  非常用点灯装置、２３１  非常用点灯装置本体、２３２  装置側接続部、２３２ａ  装置側電線、２３２ｂ  装置側コネクタ、２４０  蓄電池、２４１  蓄電池本体、２４２  蓄電池側接続部、２４２ａ  蓄電池側電線、２４２ｂ  蓄電池側コネクタ、２４３  電池保持部材、２４３ａ  開口、２５０  点検スイッチ、２５１  点検スイッチ本体、２５２  引き棒、３００  電線、電源線、４００，５０１  ネジ、２０００  収容部。
【図１】
2019212640.tif 000003
【図２】
2019212640.tif 000004
【図３】
2019212640.tif 000005
【図４】
2019212640.tif 000006
【図５】
2019212640.tif 000007
【図６】
2019212640.tif 000008
【図７】
2019212640.tif 000009
【図８】
2019212640.tif 000010
【図９】
2019212640.tif 000011
【図１０】
2019212640.tif 000012
【図１１】
2019212640.tif 000013
【図１２】
2019212640.tif 000014
【図１３】
2019212640.tif 000015
【図１４】
2019212640.tif 000016
【図１５】
2019212640.tif 000017
【図１６】
2019212640.tif 000018
【図１７】
2019212640.tif 000019
【図１８】
2019212640.tif 000020
【図１９】
2019212640.tif 000021